【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
Ｎ個の情報セグメントよりなる情報セグメントセットの周期的な伝送を受信する方法であって、
前記Ｎ個の情報セグメントセット全体の伝送を、繰り返し受信するステップと、
有効なセグメントがまだストアされていない各情報セグメントを処理するステップであって、その情報セグメントが有効か無効かを識別することと、
前記有効な情報セグメントをストアするステップと、
前記セグメントのＮ個の異なる情報セグメントがストアされているか否かを判定するステップと、
当該情報セグメントセットのＮ個の異なる情報セグメントがストアされていないと判定した場合に、前記受信するステップ、前記処理するステップ、前記ストアするステップおよび前記判定するステップを繰り返すステップと、
Ｎ個の異なる情報セグメントがストアされた後、前記ストアされたＮ個の異なる情
報セグメントの情報セグメントセットをさらに処理するため転送するステップと
を備えることを特徴とする方法。
【請求項２】
請求項１において、前記処理するステップは、
前記情報セグメントにそれぞれ含まれるエラーコードを用いて情報セグメントのエラーを検出するステップと、
前記エラーが検出された情報セグメントのそれぞれのセグメント番号を判断するステッ
プと
をさらに含むことを特徴とする方法。
【請求項３】
請求項２において、前記情報セグメントは、情報セグメントに含まれる情報を示すＶＡＬＵＥタグを含むことを特徴とする方法。
【請求項４】
請求項３において、最初の伝送と、後続する伝送とは、等しいＶＡＬＵＥタグを有することを特徴とする方法。
【請求項５】
請求項４において、前記ストアされた有効な情報セグメントは、前記最初の伝送と前記後続する伝送においてＶＡＬＵＥタグが等しくない場合に、削除されることを特徴とする方法。
【請求項６】
請求項５において、前記情報セグメントは、ＢＣＣＨ−ＳＩＢ（broadcast control channel system information block）を含むことを特徴とする方法。
【請求項７】
請求項１において、前記周期的な伝送は、予め定めた繰り返しレートの後で受信されることを特徴とする方法。
【請求項８】
Ｎ個の情報セグメントよりなる情報セグメントセットの周期的な伝送を含む通信を、受信し処理するＵＥ（user equipment）であって、
前記Ｎ個の情報セグメントセットの全体の伝送を、繰り返し受信するレシーバと、
有効なセグメントがまだストアされていない各々の情報セグメントを処理して、前記情報セグメントが有効か無効かを識別するプロセッサ手段と、
前記有効な情報セグメントをストアするメモリと
を備え、
前記レシーバは、前記Ｎ個の情報セグメントよりなる情報セグメントセット全体の後続する伝送を受信したときに、各情報セグメントが有効か無効かを識別するため、以前ストアされなかった情報セグメントのみを受信および処理し、有効と識別された情報セグメントをストアし、
前記レシーバは、前記Ｎ個の情報セグメントセットの全ての情報セグメントがストアされるまで、前記Ｎ個の情報セグメントセット全体の後続する伝送を、繰り返し受信することを特徴とするＵＥ。
【請求項９】
請求項８において、前記レシーバは、さらに、各情報セグメントに含まれるエラーコードを用いて、情報セグメントのセグメント番号を検出し、エラーが検出された情報セグメントの各セグメント番号を決定することを特徴とするＵＥ。
【請求項１０】
請求項８において、前記情報セグメントは、前記情報セグメントに含まれる情報を示すＶＡＬＵＥタグを含むことを特徴とするＵＥ。
【請求項１１】
請求項１０において、前記第１回目の伝送と前記後続する伝送は、等しいＶＡＬＵＥタグを有することを特徴とするＵＥ。
【請求項１２】
請求項１１において、前記第１回目の伝送と前記後続する伝送が等しくないＶＡＬＵＥタグを有する場合には、前記ストアされた有効な情報セグメントが削除されることを特徴とするＵＥ。
【請求項１３】
請求項８において、前記情報セグメントは、ＢＣＣＨ−ＳＩＢ（broadcast control channel system information block）を含むことを特徴とするＵＥ。
【請求項１４】
請求項８において、前記周期的な伝送は、予め定めた繰り返しレートの後で受信されることを特徴とするＵＥ。
【請求項１５】
情報セグメントセットの周期的な伝送を含む受信された通信を処理する方法であって、
情報セグメントセットの第１回目の伝送の全体を受信するステップと、
情報セグメントセットの情報セグメントが有効か無効かを識別するために処理するステップと、
前記情報セグメントセットの情報セグメントのうち有効な情報セグメントをストアするステップと、
前記情報セグメントセットの情報セグメントのうちの無効な情報セグメントに対して、後続する少なくとも１回の情報セグメントセットの伝送の全体を受信し、その伝送において、以前に無効と識別された情報セグメントに対応する情報セグメントのみを処理し、および有効と識別された情報セグメントをストアするステップと、
前記情報セグメントセットの全ての情報セグメントが有効と識別されストアされるまで、前記後続する情報セグメントセットの伝送の全体を受信し、処理しおよびストアする前記ステップを繰り返すステップと
を備えたことを特徴とする方法。
【請求項１６】
請求項１５において、前記処理するステップは、
各情報セグメントに含まれるエラーコードを用いて、情報セグメントのエラーを検出するステップと、
エラーが検出された情報セグメントのセグメント番号を決定するステップと
を含むことを特徴とする方法。
【請求項１７】
請求項１５において、前記情報セグメントは、前記情報セグメントに含まれる情報を示すＶＡＬＵＥタグを含むことを特徴とする方法。
【請求項１８】
請求項１７において、前記第１回目の伝送と前記後続する伝送は、等しいＶＡＬＵＥタグを有することを特徴とする方法。
【請求項１９】
請求項１８において、前記第１回目の伝送と前記後続する伝送が等しくないＶＡＬＵＥタグを有する場合に、前記有効な情報セグメントが削除されることを特徴とする方法。
【請求項２０】
請求項１５において、前記情報セグメントは、ＢＣＣＨ−ＳＩＢ（broadcast control channel system information block）を含むことを特徴とする方法。
【請求項２１】
請求項１５において、前記周期的な伝送は、予め定めた繰り返しレートの後で受信されることを特徴とする方法。
【請求項２２】
Ｎ個の情報セグメントのセットの周期的伝送を受信する方法であって、
Ｎ個の情報セグメントのセットの全体の伝送を受信するステップと、
前記セグメントが有効である無効であるかを決定するために各セグメントを処理するステップと、
前記有効なセグメントをストアするステップと、
前記セットのＮ個の異なるセグメントがストアされているかどうかを決定するステップと、
前記セットのＮ個の異なるセグメントがストアされていない場合は、
無効であるセグメントを決定するステップと、
前記Ｎ個の情報セグメントセットの全体の引き続く伝送を受信するステップと、
前記決定された無効であるセグメントをデコードするステップと、
前記デコードされたセグメントが有効であるかどうかを決定するステップと、
前記有効なセグメントをストアするステップと、
すべてのＮ個のセグメントが有効に受信されるまで、無効であるセグメントを決定する前記ステップ、前記Ｎ個の情報セグメントセットの全体の引き続く伝送を受信する前記ステップ、前記決定された無効であるセグメントをデコードする前記ステップ、前記デコードされたセグメントが有効であるかどうかを決定する前記ステップおよび前記有効なセグメントをストアする前記ステップを繰り返すステップと、
Ｎ個の異なるセグメントが受信された後で、前記ストアされたＮ個の異なる情報セグメントの情報セグメントセットをさらに処理するため転送するステップと
を備えることを特徴とする方法。
【請求項２３】
前記処理するステップは、
前記情報セグメントにそれぞれ含まれるエラーコードを用いて情報セグメントのエラーを検出するステップと、
前記エラーが検出された情報セグメントのそれぞれのセグメント番号を判断するステッ
プと
をさらに含むことを特徴とする請求項２２に記載の方法。
【請求項２４】
前記情報セグメントは、情報セグメントに含まれる情報を示すＶＡＬＵＥタグを含むことを特徴とする請求項２２に記載の方法。
【請求項２５】
最初の伝送と、後続する伝送とは、等しいＶＡＬＵＥタグを有することを特徴とする請求項２２に記載の方法。
【請求項２６】
前記ストアされた有効な情報セグメントは、前記最初の伝送と前記後続する伝送においてＶＡＬＵＥタグが等しくない場合に、削除されることを特徴とする請求項２２に記載の方法。
【請求項２７】
前記情報セグメントは、ＢＣＣＨ−ＳＩＢ（broadcast control channel system information block）を含むことを特徴とする請求項２２に記載の方法。
【請求項２８】
前記周期的な伝送は、予め定めた繰り返しレートの後で受信されることを特徴とする請求項２２に記載の方法。
【請求項２９】
前記引き続くＮ情報セグメントのセットの全体の伝送を各々に対して、前記決定された無効であるセグメントを受信しおよびデコードするためだけに、レイヤ１へ通知するステップをさらに備えることを特徴とする請求項２２に記載の方法。
【手続補正２】
【補正対象書類名】明細書
【補正対象項目名】００２２
【補正方法】変更
【補正の内容】
【００２２】
情報セグメントのセットを周期的に伝送することを含む通信を、受信し処理する方法においては、情報セグメントセットの各情報セグメントが有効か否かを識別するため、このような情報セグメントセットについて第１回目の伝送が行われる。この第１回目の伝送で伝送された情報セグメントセットは、受信され処理される。そして、当該情報セグメントセットの情報セグメントのうち有効なセグメントが、ストアされる。この第１回目に伝送された情報セグメントセットの情報セグメントが全て有効でなく、その結果、ストアされない場合には、その後に続いて、情報セグメントセットが伝送される。その後に続いて伝送された情報セグメントの情報セグメントのうち以前有効でなくその結果ストアされなかった情報セグメントに対応する情報セグメントのみが、これら受信された情報セグメントについて、有効か否かを識別するために、受信および処理がされる。そして、有効な情報セグメントがストアされる。以後、当該情報セグメントセットの全ての情報セグメントが有効でストアされるまで、情報セグメントのセットのその後に続く伝送が、繰り返し受信される。
【手続補正３】
【補正対象書類名】明細書
【補正対象項目名】００２７
【補正方法】変更
【補正の内容】
【００２７】
ひとたびＵＥ−ＢＣＦＥがこのような判断を行うと、正しいＴＢはＵＥ−ＢＣＦＥによりストアされ（ステップ８２）、紛失したＴＢ、またはエラーのあるＴＢは、廃棄される（ステップ８３）。ステップ８３は、ＵＥ−ＢＣＦＥを処理する前に、Ｌ１またはＬ２のいずれかにより同様にして実行されるから、このことに留意されたい。そして、ＲＲＣ２８は、エラーがあるか紛失するかした全てのＴＢの次のＳＦＮを、次のＲＲＣ−ＳＤＵの伝送について計算する（ステップ８４）。図７の例においては、ＳＦＮの次のオカランス（本例では、７４）を決定するため、ＵＥ−ＢＣＦＥは、エラーのあったＴＢ（ＳＦＮ１０）を、繰り返し期間すなわち６４に加算することになる。幾つかのＴＢにエラーがあることもあるが、このような場合には、エラーのあったＴＢのそれぞれのＳＦＮが、その後のＲＲＣ−ＳＤＵの伝送について、計算される。ひとたびこれらＳＦＮが決定されると、ＲＲＣ２８は、決定されたＳＦＮのみを受信しデコードすることを、Ｌ１に通知する。この例では、再受信時には、ＳＦＮ７４に対応する１つのＴＢのみが識別される。ひとたびＬ１がこの計算されたＳＦＮのあるＴＢを受信すると、Ｌ１は、ＲＲＣ２８から要求があった特定のＳＦＮを有するＴＢとＳＦＮとＣＲＣとを、ＲＲＣ２８にホワーディングする（ステップ８５）。再伝送され受信されたＴＢのセットにエラーが検出されず、かつ当該ＲＲＣ−ＳＤＵからのＴＢを紛失していない場合には、ＵＥ−ＢＣＦＥは、所定の場所に、これら正しいＴＢを他のＴＢとともにストアし（ステップ８２）、ＲＲＣ−ＳＤＵをデコードする（ステップ８６）。受信されたＲＲＣ−ＳＤＵのＴＢに依然としてＣＲＣエラーがある場合には、ＲＲＣ２８はこのようなＳＦＮを判断し、上述した処理を繰り返す（ステップ８４）。以後、当該ＲＲＣ−ＳＤＵに関連付けされた完全ＴＢのセットがＵＥ−ＢＣＦＥによりストアされ、ＲＲＣ２８により処理されるまで、この処理を継続する（ステップ８６）。
【手続補正４】
【補正対象書類名】明細書
【補正対象項目名】００３０
【補正方法】変更
【補正の内容】
【００３０】
さらに、本発明によれば、ＵＥ１８がシステム情報をより効率的に受信することができるので、スケジューリングレート（すなわち、再送の周期）を減少させることが可能である。その結果、限りのあるＢＣＣＨの物理的資源の効率が向上し利用率が高くなる。